(57)【特許請求の範囲】
【請求項１】
平面状に復元可能なスリット部を設け、折り曲げて梱包でき、本体を据え付ける際に天井開口寸法を明示する天井埋込型空気調和機の天井開口位置決め装置。
【請求項２】
折り曲げた寸法を、梱包時の左右の緩衝材の幅に合わせることにより、梱包状態での位置固定を必要としない請求項１記載の天井埋込型空気調和機の天井開口位置決め装置。
【請求項３】
本体より突出した吹出グリルを保護するために保護シートを設けた請求項１または２記載の天井埋込型空気調和機の天井開口位置決め装置。
【請求項４】
本体より突出した吹出グリルを保護するための保護シートを兼ねた袋に入った請求項１または２記載の天井埋込型空気調和機の天井開口位置決め装置。
【発明の詳細な説明】
【０００１】
【発明の属する技術分野】
本発明は天井内に埋め込まれる空気調和機の施工性および養生性を高める天井開口位置決め装置に関するものである。
【０００２】
【従来の技術】
空気調和機の施工例を図８に示す。図８において１は空気調和機本体、２は天井面、３は天井裏ベースに埋め込まれる埋め込みボルトである。４は略Ｌ形状の吊具であり、空気調和機本体１の側面に複数個設けられる。この前記略Ｌ形状吊具４と埋め込みボルト３により空気調和機本体１は固定される。５は天井面２の開口寸法を決めるためのダンボール紙でできている天井開口型紙である。
【０００３】
そしてこのような空気調和機本体１の施工手順としては、設備業者により埋め込みボルト３に空気調和機本体１が固定吊持されたのち、建設業者により天井面２が造作されるが、この天井造作時に行われる天井開口作業を容易化するために、設備業者は図９に示すように天井開口型紙５を両面テープ５ａを用いて、空気調和機本体１の外形線と図１０に示す天井開口型紙５に印刷されている空気調和機本体１の外形線５ｂ、および埋め込みボルト３と埋め込みボルト３の位置を示す穴５ｃを合わせて接着しておく。すると建設業者により天井開口型紙５の端面によって天井面２に天井開口２ａが設けられる。そしてその後、設備業者により化粧パネルが取り付けられるのが一般的である。
【０００４】
【発明が解決しようとする課題】
ところが、天井開口型紙５は空気調和機本体１に固定する際、施工者が天井開口型紙５についている両面テープ５ａを用いて、空気調和機本体１の外形線と天井開口型紙５に印刷されている空気調和機本体１の外形線５ｂ、および埋め込みボルト３と埋め込みボルト３の位置を示す穴５ｃを合わせて接着しなければならないため施工者への負担が大きく、また正確に貼付けることが困難であった。さらに、天井開口型紙５は正確な天井開口寸法を示すために安定した平面状でなければならないが、左右の型紙を一体化してしまうと本体より大きくなってしまい梱包ケースに入らず、また、ダンボールでできているために折り曲げてしまうと平面に復元できないため、左用と右用とに分かれており、そのため位置決めおよび接着という作業を２回も繰り返さなければならなかった。また左右離れた位置で天井開口を示すため、天井開口全体の大きさが解りづらかった。これらの結果、誤った寸法で開口され、化粧パネルの端面と天井面２との間に隙間ができ見苦しくなったり、天井面２に設けられる開口２ａに空気調和機本体１の取り替え等で吊具４の作業ができるよう必要とされる空気調和機本体１との間隔が取れていなかったといった問題があった。また、空気調和機本体１を設置し空気調和機本体１に天井開口型紙５を接着する業者と天井を造作する業者とが違い、また時間的なずれもあり、設備業者が空気調和機本体１を設置してから化粧パネルを取り付けるまでの間に建設業者が天井面２を造作したり、床にワックスがけ等を行うために、むき出しの空気調和機本体に汚れが付着してしまい、化粧パネルを取り付ける前に汚れがひどいときは設備業者が空気調和機本体の汚れを清掃する必要があった。特に吹き出しグリルは本体より突出しているため、ダンボールでできた平面状の型紙ではどうしても覆い隠せず、汚れのほかに異物の浸入の恐れもあった。また、天井開口型紙５（左、右用）は小さいため梱包時にばらばらにならないようポリエチの袋にいれて同梱されていたが、空気調和機本体１や梱包ケースへの位置固定を行っていないため型紙５の傷つきや変形のおそれがあった。
【０００５】
本発明は上記従来の課題を解決するもので、平面状に復元可能なスリット部を設け、折り曲げて梱包することにより左右の型紙を一体化し、より明確に天井開口寸法を示すことにより施工性を高め、また本体表面を覆うことにより養生性をも高めると共に、コストダウンをも考慮した天井埋込型空気調和機の取付位置決め装置を提供するものである。
【０００６】
【課題を解決するための手段】
上記課題を解決するために、本発明は平面状に復元可能なスリットを設けることにより天井開口型紙を左右一体化し、梱包時には折り曲げて小型化し、使用するときは平面を維持して安定した型紙となり天井開口寸法を明示することができ、また、その天井開口型紙に汚れから空気調和機本体を守るように保護シートを設けるようにしたものである。
【０００７】
【発明の実施の形態】
本発明は平面状に復元可能なスリットを設けることにより天井開口型紙を左右一体化し、梱包時には折り曲げて小型化でき、使用する時は平面を維持して安定した型紙となり、天井開口寸法をより正確に明示することができ、また、その天井開口型紙に本体より突出した吹き出しグリルをも覆う保護シートを設けることにより汚れから空気調和機本体を守ることができる。
【０００８】
【実施例】
以下、本発明の一実施例を添付図面の図１から２に及び３、４に基づいて説明する。
【０００９】
図１に示すように、この実施例の天井開口型紙１はダンボールでできており、その左右２カ所にスリット部を有する。そのスリット部はＨ形に切り込んだスリット２と２本のケイ線３とが交互になっており、この２本のケイ線３によりスリット２の断面を傷つけることなく図３に示すように完全に折り曲げることができ、また、スリット２の直線的な切り込み形状により、折り曲げ部を広げるとその切断面同士が突っ張り平面状に復元し、安定した形状を維持することができるようになっている。この平面に復元可能な形状を利用し、図４に示すように従来は左右別々だった天井開口型紙を一体化したにもかかわらず、梱包サイズを大きくすることなく、本体より大きな天井開口型紙１を折り曲げ本体梱包ケースより小さくし同梱することが可能となった。また、この型紙の使用方法について図１および図２に基づいて説明する。まず梱包より取り出した天井開口型紙１の折り曲げ部を広げ平面状に戻し、設置した空気調和機本体５に、空気調和機本体に設けた天井開口型紙取付用穴に天井開口型紙１に設けた型紙固定用穴４を合わせてネジ６で固定する。すると、その天井開口型紙１の端面１ａが天井開口寸法となり、天井を造作する際に、容易に天井開口寸法が解るようになっている。この例では、梱包のために折り曲げ小型化した天井開口型紙１はスリット２および、ケイ線３の形状により広げて平面状に復元し、その平面を維持して、安定した型紙となるうえ、従来左右別々であった型紙では、左右に離れた位置でしか天井開口を示せなかったが、この平面状に復元した型紙では天井開口を端面のほぼ全体で示すことができるため、従来より正確にそして明確に天井開口全体が解り、天井開口作業が容易になり施工性が高まった。また、左右に分かれていた型紙よりも空気調和機本体５を覆う面積が広く汚れが少なくなった。さらに、従来小さな型紙が２枚であったために必要だったポリエチの袋も型紙が１枚になったことにより不要となりコストダウンをも図れた。
【００１０】
また、別の実施例を図５を用いて説明する。この実施例では前記の実施例で説明した天井開口型紙１の左右のスリット部の間隔を、梱包時の左緩衝材７と右緩衝材８の間隔と同じ寸法にしたものである。これにより天井開口型紙１を左右のスリット部で折り曲げた寸法が左右の緩衝材の幅と同じとなり、梱包時に、左右の緩衝材の間に折り曲げた天井開口型紙１を入れ込むことができる。この例では、左右の緩衝材が本体の保護だけでなく天井開口型紙１の梱包時の位置固定の役割を果たすため、天井開口型紙１を固定しなくても、輸送振動や、落下で天井開口型紙１が変形したり傷つくことがなくなり、より安定した平面状に復元することができるようになった。
【００１１】
また、別の実施例を図１および図６を用いて説明する。この実施例では前記の実施例で説明した天井開口型紙１に、ビニールでできた保護シート９を設けたもので、設置されている空気調和機本体５に天井開口型紙１を取り付けた後、空気調和機本体５より突出した吹出グリル５ａを覆うように保護シート９をかぶせ両面テープ９ａで空気調和機本体５に貼り付ける。この実施例では天井開口型紙１の平面状のダンボール部に自在な形状となるビニールを取り付けたことにより、空気調和機本体５設置からパネル取り付けまでの間に行われる天井造作作業やワックスがけ等から、従来むき出しで汚れてしまう可能性のあった前面部を覆い、特に突出した吹出グリル５ａを保護シート９で覆うことにより、空気調和機本体５の養生性を上げ、パネル設置前の本体前面の清掃等が不要となり、異物浸入の恐れもなくなった。
【００１２】
また、別の実施例を図７を用いて説明する。この実施例では前記の実施例で説明した天井開口型紙を袋１０に入れて、その袋１０で吹出グリル５ａを覆い両面テープ１０ａで固定したものである。この袋１０もビニールでできており自在な形状となり前述の保護シート９と同様、養生性を高めるものである。
【００１３】
【発明の効果】
本発明は上記説明から明らかなように、平面状に復元可能なスリットを設けることにより天井開口型紙を左右一体化し、梱包時には折り曲げて小型化でき、使用する時は広げて平面状となりその形状を維持し安定した型紙となり、天井開口寸法をその端面のほぼ全周を用いて、より正確に明示し、施工性を向上させる。そして折り曲げた天井開口型紙の幅を梱包時の左右の緩衝材の幅と同じにすることにより、梱包時の変形を防ぐことができる。また、その天井開口型紙に保護シートをつけることにより、本体前面はもちろん本体より突出した吹出グリルをも覆い隠し、汚れや異物の浸入を防ぐことができる。
【図面の簡単な説明】
【図１】本発明の一実施例における天井埋込型空気調和機の天井開口位置決め装置の要部平面図
【図２】同実施例における天井埋込型空気調和機の据え付け時の要部斜視図
【図３】同実施例における天井埋込型空気調和機の天井開口位置決め装置の折り曲げ時の斜視図
【図４】同実施例における天井埋込型空気調和機の梱包時の要部斜視図
【図５】同実施例における天井埋込型空気調和機の梱包時の要部斜視図
【図６】同実施例における天井埋込型空気調和機の据え付け時の要部斜視図
【図７】同実施例における天井埋込型空気調和機の天井開口位置決め装置の要部平面図
【図８】従来の天井埋込型空気調和機の据え付け時の斜視図
【図９】同天井埋込型空気調和機の据え付け時の要部平面図
【図１０】同天井埋込型空気調和機の天井開口型紙の平面図
【符号の説明】
１  天井開口型紙
１ａ  天井開口型紙端面
２  スリット
３  ２本のケイ線
４  型紙固定用穴
５  空気調和機本体
７  左緩衝材
８  右緩衝材
９  保護シート
１０  袋
【図１】
0003539156.tif 000002
【図２】
0003539156.tif 000003
【図３】
0003539156.tif 000004
【図４】
0003539156.tif 000005
【図５】
0003539156.tif 000006
【図６】
0003539156.tif 000007
【図７】
0003539156.tif 000008
【図８】
0003539156.tif 000009
【図９】
0003539156.tif 000010
【図１０】
0003539156.tif 000011